(57)【要約】【課題】２枚の遮蔽材を平行に配置するタイプの遮蔽装置において、生産性に優れコストを低減することの可能な遮蔽装置を提供する。【解決手段】遮蔽装置１００は、複数のランナ１１０が設けられる１本のレール１２０と、ランナ１１０に吊り下げられレール１２０に沿って開閉する第１スクリーン１３０−１及び第２スクリーン１３０−２と、を備え、第１スクリーン１３０−１と第２スクリーン１３０−２とは、第１スクリーン１３０−１及び第２スクリーン１３０−２の開閉方向に垂直な前後方向に並設され、複数のランナ１１０は、第１スクリーン１３０−１が吊り下げられる第１ランナ１１２と、第２スクリーン１３０−２が吊り下げられる第２ランナ１１４とを含んで構成される。かかる構成により、生産性に優れコストを低減することの可能な遮蔽装置を提供することができる。【選択図】図１
2018068929.tif 000002
【特許請求の範囲】
【請求項１】
複数の吊下手段が設けられる１本のレールと、
前記吊下手段に吊り下げられ前記レールに沿って開閉する第１遮蔽材及び第２遮蔽材と、を備え、
前記第１遮蔽材と前記第２遮蔽材とは、前記第１遮蔽材及び前記第２遮蔽材の開閉方向に垂直な前後方向に並設され、
前記複数の吊下手段は、前記第１遮蔽材が吊り下げられる第１吊下手段と、前記第２遮蔽材が吊り下げられる第２吊下手段とを含むことを特徴とする、遮蔽装置。
【請求項２】
前記第１吊下手段と前記第２吊下手段とが、前記レールに交互に配置されることを特徴とする、請求項１に記載の遮蔽装置。
【請求項３】
前記レールの端部に配置される同じ吊下手段に、前記第１遮蔽材の端部及び前記第２遮蔽材の端部がともに吊り下げられることを特徴とする、請求項１又は２に記載の遮蔽装置。
【請求項４】
前記第１遮蔽材及び前記第２遮蔽材はプリーツスクリーンであることを特徴とする、請求項１〜３のいずれかに記載の遮蔽装置。
【請求項５】
前記第１遮蔽材及び前記第２遮蔽材はカーテンであることを特徴とする、請求項１〜３のいずれかに記載の遮蔽装置。
【発明の詳細な説明】
【技術分野】
【０００１】
本発明は、遮蔽装置に関する。
【背景技術】
【０００２】
従来の遮蔽装置としては、特開２０１０−７７７０９号公報（特許文献１）に示されるものがある。同文献に開示される遮蔽装置では、布地や不織布、紙、合成樹脂のシート材のうちのいずれかを樹脂コーティングしてカーテンを形成するとともに、カーテンの蛇腹状折り返し部にそれぞれ直線状の折り線を刻設する。そして、カーテンの上端中間部に固着される中間ランナの個数をカーテンの長さ１ｍあたり１〜４個に設定し、２枚のカーテンを平行に配置し、両カーテンの間を複数の連結板でつないだダブルカーテン型のアコーディオンドアとしている。
【０００３】
これによれば、折り線の刻設によりカーテンの折り片同士を密着させて、従来よりも薄く折り畳むことができるので、ドア開口部の間口を広く使うことができる。また、中間ランナの個数をカーテンの長さ１ｍあたり１〜４個に減少することにより、カーテンを折り畳んだ際にランナ同士が当接し合うことなく、カーテンを確実に薄く折り畳むことができるので、ドア開口部を通過する際の利便性が一層高まるという効果を有する。
【先行技術文献】
【特許文献】
【０００４】
【特許文献１】特開２０１０−７７７０９号公報
【発明の概要】
【発明が解決しようとする課題】
【０００５】
しかしながら、上記従来の遮蔽装置のように、２枚のカーテンを平行に配置した場合には、カーテン同士を連結板でつなぐ必要がある。このため、従来の遮蔽装置では、生産性が悪くコストアップにつながるという課題があった。
【０００６】
そこで本発明は、このような問題に鑑みてなされたもので、その目的とするところは、２枚の遮蔽材を平行に配置するタイプの遮蔽装置において、生産性に優れコストの低減を図ることにある。
【課題を解決するための手段】
【０００７】
上記課題を解決するために、本発明によれば、複数の吊下手段が設けられる１本のレールと、前記吊下手段に吊り下げられ前記レールに沿って開閉する第１遮蔽材及び第２遮蔽材と、を備え、前記第１遮蔽材と前記第２遮蔽材とは、前記第１遮蔽材及び前記第２遮蔽材の開閉方向（前記第１遮蔽材及び前記第２遮蔽材の延在方向）に垂直な前後方向に並設され、前記複数の吊下手段は、前記第１遮蔽材が吊り下げられる第１吊下手段と、前記第２遮蔽材が吊り下げられる第２吊下手段とを含むことを特徴とする、遮蔽装置が提供される。
【０００８】
かかる構成によれば、前後２枚の遮蔽材を１本のレール、つまり同一直線上の吊下手段に吊り下げるだけであり、前後の遮蔽材同士を連結する必要はない。このようにして、生産性に優れコスト低減を図った遮蔽装置となる。また、前後２枚の遮蔽材間に空気層が形成されるため断熱性能が高まる。また、前後の遮蔽材は任意に選択して組み合わせることができるため、インテリアとしての自由度が向上する。
【０００９】
本発明は様々な応用が可能である。以下の応用例は、適宜組み合わせることが可能である。例えば、前記第１吊下手段と前記第２吊下手段とが、前記レールに交互に配置されるようにしてもよい。かかる構成によれば、前後２枚の遮蔽材が一定の間隔で吊下げられるため、展開したときと畳み込まれたときの前後２枚の遮蔽材の襞の状態が一定になり、意匠性が高まる。なお、第１吊下手段と第２吊下手段とが交互に配置されるとは、レールの長手方向において一方から他方に向けて見たときに、第１吊下手段と第２吊下手段が交互に存在することを意味する。すなわち、レールに第１吊下手段と第２吊下手段が一つおきに存在する場合のほか、レールに第１吊下手段と第２吊下手段以外の予備の吊下手段が存在していてもよい。
【００１０】
また、前記レールの端部に配置される同じ吊下手段に、前記第１遮蔽材の端部及び前記第２遮蔽材の端部がともに吊り下げられるようにしてもよい。かかる構成によれば、遮蔽装置の両端部に第１遮蔽材と第２遮蔽材とを配置することができるので、断熱性能が高まる。
【００１１】
また、前記第１遮蔽材及び前記第２遮蔽材はプリーツスクリーンであってもよい。遮蔽材としてプリーツスクリーンを使用すれば、ハニカムスクリーンのように前後のプリーツスクリーン間に空気層が形成されて断熱性能が高まる。また、各プリーツスクリーンのレール側と対向する側に突出する折り目の上端近傍を各ランナに連結することで、前後のスクリーンは干渉せずにレールに沿って開閉することができ、展開時は前後のスクリーンの山谷同士が一致して配置され、前後のスクリーン間に所定の間隔が形成されるようになる。
【００１２】
また、前記第１遮蔽材及び前記第２遮蔽材はカーテンであってもよい。遮蔽材としてカーテンを採用しても、上記と同様の効果が得られる。また、カーテン特有の意匠性が得られる。
【発明の効果】
【００１３】
本発明によれば、２枚の遮蔽材を平行に配置するタイプの遮蔽装置において、生産性に優れコストを低減することが可能である。本発明のその他の効果については、後述する発明を実施するための形態においても説明する。
【図面の簡単な説明】
【００１４】
【図１】第１の実施形態にかかる遮蔽装置１００の構成を説明するための図であり、（ａ）は遮蔽装置１００のレールを除いた部分の全体構成を概略的に示した斜視図であり、（ｂ）はレールの部分を上から見た平面図である。
【図２】遮蔽装置１００の上部の構造を説明するための図であり、（ａ）は横から見た断面図であり、（ｂ）は正面から見た部分断面図である。
【図３】遮蔽装置１００の動作を説明するための図であり、（ａ）はスクリーンを畳み込んだときの状態を示す図であり、（ｂ）はスクリーンの一部を引き出したときの状態を示す図であり、（ｃ）はスクリーンを展開したときの状態を示す図である。
【図４】第２の実施形態にかかる遮蔽装置２００の全体構成を概略的に示した平面図である。
【図５】第３の実施形態にかかる遮蔽装置３００の全体構成を概略的に示した平面図である。
【発明を実施するための形態】
【００１５】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１６】
（第１の実施形態）
本発明の第１の実施形態について説明する。まず、本実施形態の遮蔽装置１００の全体の構成について、図１及び図２を参照しながら説明する。図１は実施形態にかかる遮蔽装置１００の全体構成を概略的に示した図であり、図１（ａ）は遮蔽装置１００のレールを除いた部分の全体構成を示した斜視図であり、図１（ｂ）はレールの部分を上から見た平面図である。図２は、遮蔽装置１００の上部の構造を説明するための図であり、図２（ａ）は横から見た断面図であり、図２（ｂ）は正面から見た部分断面図である。
【００１７】
本実施形態の遮蔽装置１００は、図１に示したように、複数のランナ（吊下手段）１１０が設けられる１本のレール１２０と、ランナ１１０に吊り下げられレール１２０に沿って開閉する第１スクリーン（第１遮蔽材）１３０−１及び第２スクリーン（第２遮蔽材）１３０−２と、を備える。第１スクリーン１３０−１と第２スクリーン１３０−２とは、第１、第２スクリーン１３０−１、１３０−２の開閉方向（すなわち、第１、第２スクリーン１３０−１、１３０−２の延在方向）に垂直な前後方向に並設される。複数のランナ１１０は、第１スクリーン１３０−１が吊り下げられる第１ランナ１１２と、第２スクリーン１３０−２が吊り下げられる第２ランナ１１４とを含む。以下、遮蔽装置１００の各構成要素について詳細に説明する。
【００１８】
（ランナ１１０）
ランナ１１０は、プリーツスクリーン１３０を吊り下げ支持するものである。ランナ１１０は、図１に示したように、レール１２０が延在する方向に設けられている。本実施形態ではランナ１１０は奇数個（一例として１１個）設けられる。各ランナ１１０は、プリーツスクリーン１３０が展開したときに、等間隔に配置されるように後述のスペーサーコード１４０に連結されている。
【００１９】
ランナ１１０は、図１（ａ）に示したように、第１スクリーン１３０−１が吊り下げられる複数の第１ランナ（第１吊下手段）１１２（１１２−１、１１２−２、１１２−３、１１２−４、１１２−５、１１２−６）と、第２スクリーン１３０−２が吊り下げられる複数の第２ランナ（第２吊下手段）１１４（１１４−１、１１４−２、１１４−３、１１４−５）とを含む。第１ランナ１１２と第２ランナ１１４とは、図１（ｂ）に示したように、同一直線上において一つおきに配置されている。レール１２０の両端には第１ランナ１１２がそれぞれ配置されるようになっており、レール１２０の一方の端部から奇数番目に配置される。一方、第２ランナ１１４は偶数番目に配置される。
【００２０】
ランナ１１０は、図２（ａ）に示したように、レール１２０内に配置される。ランナ１１０は、レール１２０の後述する開口部１２２から下方に突出し、プリーツスクリーン１３０を吊り下げ支持するとともに展開あるいは畳み込みに伴うスクリーンの動きに合わせて変形可能なスクリーンフック１１６と、スクリーンフック１１６を挟んで対向位置に設けられ、レール１２０の後述する案内溝１２４を走行する２つの回転ローラ１１８と、を備える。
【００２１】
（レール１２０）
レール１２０は、図示していない窓枠や天井等などに取り付けられて、プリーツスクリーン１３０を開閉可能に吊り下げるランナ１１０を走行可能に支持するものである。レール１２０内には、図２に示したように、ランナ１１０が収容される。
【００２２】
レール１２０の底部には、図２（ａ）に示したように、前後方向中央位置に開口部１２２が形成されており、開口部１２２を介して、前述のようにランナ１１０のスクリーンフック１１６がレール１２０の下方に突出している。開口部１２２は、図２（ｂ）に示したように、レール１２０の長さ方向全長に亘って形成されている。よって、ランナ１１０はレール１２０の長さ方向全長に亘って移動することができる。
【００２３】
さらに、レール１２０の底部には、図２（ａ）に示したように、開口部１２２を挟んで案内溝１２４が２つ形成されている。２つの案内溝１２４には、ランナ１１０の２つの回転ローラ１１８がそれぞれ収容され、回転ローラ１１８の走行を案内する。案内溝１２４は、図２（ｂ）に示したように、レール１２０の長さ方向全長に亘って形成されており、ランナ１１０の移動をレール１２０の長さ方向全長に亘って案内する。
【００２４】
（プリーツスクリーン１３０）
プリーツスクリーン１３０は、レール１２０の下方における開口部の開放量あるいは閉鎖量を調整するとともに、断熱の機能も備え、インテリア性をも有するものである。プリーツスクリーン１３０は、図１に示したように、レール１２０が延在する方向に垂直な前後方向に並設される第１スクリーン１３０−１と第２スクリーン１３０−２とからなる。第１プリーツスクリーン１３０−１が遮蔽装置１００の表側（窓に用いる場合は屋内側）に配され、第２プリーツスクリーン１３０−２が裏側に配される。
【００２５】
第１スクリーン１３０−１と第２スクリーン１３０−２は、表裏方向に山部１３０ａ−１、１３０ａ−２と谷部１３０ｂ−１、１３０ｂ−２とが交互に複数形成されて構成されている。第１スクリーン１３０−１と第２スクリーン１３０−２の山部１３０ａ−１、１３０ａ−２と谷部１３０ｂ−１、１３０ｂ−２の間隔は同じである。なお、本実施形態では、遮蔽装置１００を表側から見て、表側に突出している部分を山部１３０ａ−１、１３０ａ−２とし、裏側に窪んでいる部分を谷部１３０ｂ−１、１３０ｂ−２とする。
【００２６】
第１スクリーン１３０−１は複数の第１ランナ１１２に吊り下げられ、第２スクリーン１３０−２は複数の第２ランナ１１４に吊り下げられる。第１、第２ランナ１１２、１１４は、スクリーンフック１１６によって第１、第２プリーツスクリーン１３０−１、１３０−２を吊り下げる。
【００２７】
第１スクリーン１３０−１が吊り下げられる第１ランナ１１２は、前述のように、レール１２０の両端まで配置されるため、第１スクリーン１３０−１は、レール１２０の長さ方向全長ほぼ全長に亘って配される。第１スクリーン１３０−１は谷部１３０ｂ−１が第１ランナ１１２に連結されている。第１スクリーン１３０−１の山部１３０ａ−１の位置は、第２ランナ１１４の位置にほぼ対応している。
【００２８】
第２スクリーン１３０−２の端部が吊り下げられる端部に配置される第２ランナ１１４−１、１１４−５は、前述のように、両端に配置される第１ランナ１１２−１、１１２−６の中央寄りに配置される。このため、第２プリーツスクリーン１３０−２の両端は、第１スクリーン１３０−１のプリーツの一山の半分だけ、レール１２０の中央寄りに位置することになる。よって、第２スクリーン１３０−２は、第１スクリーン１３０−１よりも幅が狭くなっている。第２スクリーン１３０−２は山部１３０ａ−２が第２ランナ１１４に連結されている。第２スクリーン１３０−２の谷部１３０ｂ−２の位置は、第１ランナ１１２の位置にほぼ対応している。
【００２９】
（スペーサーコード１４０）
スペーサーコード１４０は、プリーツスクリーン１３０が展開したときに各ランナ１１０が等間隔で配置されるようにするとともに、プリーツスクリーン１３０を展開するときに、先行のランナ１１０が後続のランナ１１０を牽引するものである。スペーサーコード１４０は、図１（ｂ）に示したように、レール１２０のほぼ全長にわたって延びるコード状の部材であり、等間隔で各ランナ１１０が連結されている。プリーツスクリーン１３０が畳み込まれたときには、スペーサーコード１４０は隣り合うランナ１１０の間で垂れ下がり、プリーツスクリーン１３０が展開したときには、スペーサーコード１４０は隣り合うランナ１１０の間で張るように構成されている。
【００３０】
以上、本実施形態の遮蔽装置１００の構成について説明した。次に、本実施形態の遮蔽装置１００の動作について、図３を参照しながら説明する。図３は遮蔽装置１００の動作を説明するための図であり、図３（ａ）はスクリーンを畳み込んだときの状態を示す図であり、図３（ｂ）はスクリーンの一部を引き出したときの状態を示す図であり、図３（ｃ）はスクリーンを展開したときの状態を示す図である。
【００３１】
本実施形態の遮蔽装置１００において、プリーツスクリーン１３０を畳み込んだときには、図３（ａ）に示したように、第１ランナ１１２と第２ランナ１１４とが交互に隣り合ってレール１２０の一方の端部（図３（ａ）では左端部）に集まる。このとき、第１スクリーン１３０−１は、山部１３０ａ−１が屋内側に突出するように折り畳まれる。また、第２スクリーンは、谷部１３０ｂ−２が屋外側に突出するように折り畳まれる。
【００３２】
次に、図３（ｂ）に示したように、プリーツスクリーン１３０の端部を図中右方向に引き出すと、図中右側の端部に位置する先頭の第１ランナ１１２−１がレール１２０を移動する。先頭の第１ランナ１１２−１とこれと隣り合う第２ランナ１１４−１との間隔がスペーサーコード１４０による連結の長さまで開くと、スペーサーコード１４０に牽引されて第２ランナ１１４−１が移動していく。このように、第１ランナ１１２と第２ランナ１１４は順次移動していく。第１ランナ１１２及び第２ランナ１１４が順次移動するにつれて、第１スクリーン１３０−１及び第２スクリーン１３０−２が展開していく。
【００３３】
先頭の第１ランナ１１２−１が、図３（ｃ）に示したように、レール１２０の図中右側端部まで移動すると、プリーツスクリーン１３０が展開した状態になる。このとき、第１スクリーン１３０−１は、レール１２０の下部の屋内側の全面を覆う。また、第２スクリーン１３０−２は、レール１２０の下部の屋外側を覆うが、前述のように、第２プリーツスクリーン１３０−２の両端は、第１スクリーン１３０−１のプリーツの一山の半分だけ、レール１２０の中央寄りに位置するように配置される。
【００３４】
（第１の実施形態の効果）
以上説明したように、本実施形態によれば、前後２枚の第１、第２スクリーン１３０−１、１３０−２を同一直線上に配置された第１、第２ランナ１１２、１１４に吊り下げるだけであり、前後の第１、第２スクリーン１３０−１、１３０−２同士を連結する必要はなく、生産性に優れたものとなる。また、前後２枚の第１、第２スクリーン１３０−１、１３０−２間に空気層が形成されるため断熱性能が高まる。さらに、前後の第１、第２スクリーン１３０−１、１３０−２は任意に選択して組み合わせることができるため、インテリアとしての自由度が向上する。
【００３５】
また、第１ランナ１１２と第２ランナ１１４とが、レール１２０に交互に配置されるため、前後２枚の第１、第２スクリーン１３０−１、１３０−２が一定の間隔で吊下げられる。このため、展開したときと畳み込まれたときの前後２枚の第１、第２スクリーン１３０−１、１３０−２の襞の状態が一定になり、意匠性が高まる。
【００３６】
また、遮蔽材としてプリーツスクリーンを使用しているため、ハニカムスクリーンのように前後の第１、第２スクリーン１３０−１、１３０−２間に空気層が形成されて断熱性能が高まる。また、各第１、第２スクリーン１３０−１、１３０−２のレール１２０側と対向する側に突出する折り目の上端近傍（山部１３０ａ−１、谷部１３０ｂ−２）を第１ランナ１１２と第２ランナ１１４にそれぞれ連結することで、前後の第１、第２スクリーン１３０−１、１３０−２は干渉せずにレール１２０に沿って開閉することができる。展開時は前後の第１、第２スクリーン１３０−１、１３０−２の山谷同士が一致して配置され、前後の第１、第２スクリーン１３０−１、１３０−２間に所定の間隔が形成されるようになる。
【００３７】
（第２の実施形態）
次に、第２の実施形態に係る遮蔽装置２００について、主に図４を参照しながら説明する。図４は、第２の実施形態の遮蔽装置２００を上から見た平面図である。本実施形態では、プリーツスクリーン２３０を構成する第１スクリーン２３０−１及び第２スクリーン２３０−２のうち、第２スクリーン２３０−２の他端が第２ランナ２１４ではなく、端部の第１ランナ２１２−１、２１２−６に連結されている点が第１の実施形態と相違し、その他の点は第１の実施形態と同様である。本実施形態では、上記第１の実施形態と異なる点を中心に説明する。実質的に同一の機能構成を有する構成要素については、同一の符号を付することにより重複説明を省略する。
【００３８】
本実施形態の遮蔽装置２００は、図４に示したように、プリーツスクリーン２３０を構成する第１スクリーン２３０−１及び第２スクリーン２３０−２のうち、第１スクリーン２３０−１は、第１の実施形態の第１スクリーン１３０−１と同様の構成であるが、第２スクリーン２３０−２が第１の実施形態の第２スクリーン１３０−２に比べてプリーツ２つ分幅広に構成されている。第１の実施形態では、第１スクリーン１３０−１のみが第１ランナ１１２に連結されていたが（図１）、本実施形態では、第２スクリーン２３０−２の両端が両端部の第１ランナ２１２−１、２１２−６にそれぞれ連結されている。第２スクリーン２３０−２は、端部の第２ランナ２１４−１、２１４−５と端部の第１ランナ２１２−１、２１２−６との間に、プリーツ１つ分が余分に配される構成となっている。
【００３９】
より詳細に説明すると、第２スクリーン２３０−２は、端部から２番目の山部２３０ａ−２が端部の第２ランナ２１４−１、２１４−５に連結されたのち端部の山部２３０ａ−２が端部の第１ランナ２１２−１、２１２−６に連結されている。よって、第２スクリーン２３０−２が展開した状態において、両端のプリーツの谷部２３０ｂ−２は他の部分の谷部２３０ｂ−２よりも屋外側に突出する形状となる。また、端部の第１ランナ２１２−１、２１２−６に第２スクリーン２３０−２が連結されるため、端部の第１ランナ２１２−１、２１２−６は、第１スクリーン２３０−１と第２スクリーン２３０−２の両方が連結されることになる。
【００４０】
本実施形態の第１ランナ２１２、第２ランナ２１４、レール２２０、第１スクリーン２３０−１、山部２３０ａ−２、谷部２３０ｂ−２は、第１の実施形態の第１ランナ１１２、第２ランナ１１４、レール１２０、第１スクリーン１３０−１、山部１３０ａ−２、谷部１３０ｂ−２と実質的に同様である。
【００４１】
（第２の実施形態の効果）
以上説明したように、本実施形態によれば、レール１２０の端部に配置される同じ第１ランナ２１２−１、２１２−６に、第１スクリーン２３０−１の端部及び第２スクリーン２３０−２の端部がともに吊り下げられる。このため、遮蔽装置２００の両端部に第１スクリーン２３０−１と第２スクリーン２３０−２とを配置することができるので、遮蔽装置２００の断熱性能が高まる。
【００４２】
（第３の実施形態）
次に、第３の実施形態に係る遮蔽装置３００について、主に図５を参照しながら説明する。図５は、第３の実施形態の遮蔽装置３００を上から見た平面図である。本実施形態では、第１の実施形態のプリーツスクリーン１３０をカーテン３３０にした点が第１の実施形態と相違し、その他の点は第１の実施形態と同様である。本実施形態では、上記第１の実施形態と異なる点を中心に説明する。実質的に同一の機能構成を有する構成要素については、同一の符号を付することにより重複説明を省略する。
【００４３】
本実施形態の遮蔽装置３００は、図５に示したように、第１の実施形態のプリーツスクリーン１３０に代えて、カーテン３３０が用いられている。カーテン３３０は、カーテン生地で形成された第１スクリーン３３０−１及び第２スクリーン３３０−２からなる。第１スクリーン３３０−１は、第１の実施形態の第１スクリーン１３０−１に対応し、第１ランナ３１２に連結される。また、第２スクリーン３３０−２は、第１の実施形態の第２スクリーン１３０−２に対応し、第２ランナ３１４に連結される。
【００４４】
本実施形態の第１ランナ３１２、第２ランナ３１４、レール３２０は、第１の実施形態の第１ランナ１１２、第２ランナ１１４、レール１２０と実質的に同様である。
【００４５】
（第３の実施形態の効果）
以上説明したように、本実施形態によれば、カーテン生地より形成された第１スクリーン３３０−１及び第２スクリーン３３０−２とすることにより、第１の実施形態と同様の効果に加えて、カーテン特有の意匠性が得られる。
【００４６】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００４７】
例えば、上記実施形態では、第１ランナと第２ランナとが交互に配置される一例として、第１ランナと第２ランナとがレールに一つおきに配置される構成を例に挙げて説明したが、本発明はこの例に限定されない。第１吊下手段と第２吊下手段とが交互に配置されるとは、レールの長手方向において一方から他方に向けて見たときに、第１吊下手段と第２吊下手段が交互に存在することを意味する。すなわち、上記実施形態のようにレールに第１吊下手段と第２吊下手段が一つおきに存在する場合のほか、レールに第１吊下手段と第２吊下手段以外の予備の吊下手段が存在していてもよい。
【００４８】
また、本発明は必ずしも、第１吊下手段と第２吊下手段とが交互に配置される形態でなくてもよい。１本のレールに第１遮蔽材及び第２遮蔽材が吊り下げる構成であれば、第１吊下手段と第２吊下手段の配置は任意である。例えば、第１吊下手段の間に複数の第２吊下手段が存在したり、その逆に第１吊下手段の間に複数の第２吊下手段が存在したりしてもよい。
【００４９】
また、上記実施形態では、吊下手段をランナとしたが、本発明はこの例に限定されず、例えば駆動装置と連動するキャリアなど任意の構成とすることができる。また、スペーサーコードはレールのほぼ全長にわたって延びるコード状の部材としたが、本発明はこの例に限定されず、例えば隣接する吊下手段同士を所定間隔で連結するスペーサリンクとしてもよい。
【００５０】
以上説明した実施形態や応用例は、任意に組み合わせることができる。例えば、第２の実施形態においては、第２スクリーン２３０−２が展開した状態において、両端のプリーツの谷部２３０ｂ−２は他の部分の谷部２３０ｂ−２よりも屋外側に突出する形状としたが、両端のプリーツピッチを短くすることで、両端のプリーツの谷部２３０ｂ−２が他の部分の谷部２３０ｂ−２よりも屋外側に突出する量を同じにしてもよい。また、第３の実施形態においては、第１スクリーン３３０−１及び第２スクリーン３３０−２は、第１ランナ３１２及び第２ランナ３１４に対して第１の実施形態と同様に連結したが、第２の実施形態と同様に連結してもよい。すなわち、第３の実施形態の第２スクリーン３３０−２の両端を、両端部の第１ランナ３１２に連結するようにしてもよい。
【符号の説明】
【００５１】
１００  遮蔽装置
１１０  ランナ（吊下手段）
１１２、１１２−１〜６、２１２、２１２−１、２１２−６、３１２  第１ランナ（第１吊下手段）
１１４、１１４−１〜５、２１４、２１４−１、２１４−５、３１４  第２ランナ（第２吊下手段）
１１６  スクリーンフック
１１８  回転ローラ
１２０  レール
１２２  開口部
１２４  案内溝
１３０  プリーツスクリーン（遮蔽材）
１３０−１、２３０−１、３３０−１  第１スクリーン（第１遮蔽材）
１３０−２、２３０−２、３３０−２  第２スクリーン（第２遮蔽材）
１３０ａ−１、１３０ａ−２、２３０ａ−２  山部
１３０ｂ−１、１３０ｂ−２、２３０ｂ−２  谷部
１４０  スペーサーコード
３３０  カーテン
【図１】
2018068929.tif 000003
【図２】
2018068929.tif 000004
【図３】
2018068929.tif 000005
【図４】
2018068929.tif 000006
【図５】
2018068929.tif 000007